【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
撮像装置、通信装置及び被写体に対して発光する発光装置を備えたカメラシステムであって、
前記通信装置は、
前記撮像装置から撮像準備が開始されたことを通知されると、前記発光装置と通信中であるか否かを判別する通信判別手段と、
前記通信判別手段により、通信中ではないと判別されたとき、前記発光装置の充電が完了しているか否かを判別する充完判別手段と、
前記充完判別手段により、前記発光装置の充電が完了していると判別されたとき、前記発光装置に対して通信を行わないように指示する通信不可通知を行うとともに、前記撮像装置に対して、撮像が実行可能であることを示す撮像許可通知を行う通知手段とを備え、
前記撮像装置は、
ユーザーにより撮像を実行するための指示が入力されると、前記通信装置から前記撮像許可通知を受信したか否かを判別する撮像許可通知判別手段と、
前記撮像許可通知判別手段により、前記撮像許可通知を受信したと判別されたとき、撮像を実行する撮像手段とを備え、
前記発光装置は、
前記通信装置に充電完了となったことを通知する充完通知手段と、
前記通信不可通知を受信すると、前記充完通知手段による通知を禁止する禁止手段と、
を備えたことを特徴とするカメラシステム。
【請求項２】
撮像装置に接続可能であって、発光装置と通信する通信手段を備えた通信装置であって、
接続された撮像装置から撮像準備が開始されたことを通知されると、前記発光装置と通信中であるか否かを判別する通信判別手段と、
前記通信判別手段により、通信中ではないと判別されたとき、前記発光装置の充電が完了しているか否かを判別する充完判別手段と、
前記充完判別手段により、前記発光装置の充電が完了していると判別されたとき、前記発光装置に対して通信を行わないように指示する通信不可通知を行うとともに、前記撮像装置に対して、撮像が実行可能であることを示す撮像許可通知を行う通知手段と
を備えたことを特徴とする通信装置。
【請求項３】
接続された撮像装置からの発光指示を双方向通信が可能な通信手段を介して発光装置へ送信する通信装置であって、
前記発光装置が発光可能な状態か否かを判別する判別手段と、
前記発光装置と前記撮像装置とを制御する制御手段と、を有し、
前記制御手段は、前記判別手段により前記発光装置が発光可能な状態であると判別された場合、前記発光装置から前記通信手段へ情報を送信させないようにすることを特徴とする通信装置。
【請求項４】
前記制御手段は、前記判別手段により前記発光装置が発光可能な状態でないと判別された場合、前記判別手段により前記発光装置が発光可能な状態であると判別されるまで、前記接続された撮像装置に撮像を実行させないことを特徴とする請求項３に記載の通信装置。
【請求項５】
前記制御手段は、前記撮像装置が撮像に伴って前記発光装置への発光指示を行うモードであり、かつ、前記判別手段により前記発光装置が発光可能な状態でないと判別された場合、前記判別手段により前記発光装置が発光可能な状態であると判別されるまで、前記接続された撮像装置に撮像を実行させないことを特徴とする請求項４に記載の通信装置。
【請求項６】
前記制御手段は、前記撮像装置が撮像に伴って前記発光装置への発光指示を行うモードであり、かつ、前記判別手段により前記発光装置が発光可能な状態でないと判別された場合、前記判別手段により前記発光装置が発光可能な状態であると判別されるまで、前記接続された撮像装置に対してユーザーにより撮像を実行させる指示が入力されても、前記接続された撮像装置に撮像を実行させないことを特徴とする請求項５に記載の通信装置。
【請求項７】
前記制御手段は、前記判別手段により前記発光装置が発光可能な状態でないと判別された場合、前記判別手段により前記発光装置が発光可能な状態であると判別されるまで、撮像禁止な状態となるように前記接続された撮像装置に指示することを特徴とする請求項３に記載の通信装置。
【請求項８】
前記制御手段は、前記判別手段により前記発光装置が発光可能な状態であると判別された場合、撮像可能な状態となるように前記接続された撮像装置に指示することを特徴とする請求項３に記載の通信装置。
【請求項９】
前記判別手段は、前記発光装置から前記通信手段へ送信される充電状態を示す情報に基づいて、前記発光装置が発光可能な状態か否かを判別することを特徴とする請求項３に記載の通信装置。
【請求項１０】
前記判別手段は、前記充電状態を示す情報が充電が完了していることを示す情報である場合、前記発光装置が発光可能な状態であると判別し、前記充電状態を示す情報が充電が完了していないことを示す情報である場合、前記発光装置が発光可能な状態でないと判別することを特徴とする請求項９に記載の通信装置。
【請求項１１】
前記判別手段は、前記発光装置が発光可能な状態であると判別されるまで、前記発光装置が発光可能な状態か否かを繰り返し判別することを特徴とする請求項９または１０に記載の通信装置。
【請求項１２】
撮像装置、通信装置及び被写体に対して発光する発光装置を備えたカメラシステムにおける前記通信装置の制御方法であって、
前記撮像装置から撮像準備が開始されたことを通知されると、前記発光装置と通信中であるか否かを判別する通信判別ステップと、
前記通信判別ステップにより、通信中ではないと判別されたとき、前記発光装置の充電が完了しているか否かを判別する充完判別ステップと、
前記充完判別ステップにより、前記発光装置の充電が完了していると判別されたとき、前記発光装置に対して通信を行わないように指示する通信不可通知を行うとともに、前記撮像装置に対して、撮像が実行可能であることを示す撮像許可通知を行う通知ステップと
を備えたことを特徴とする通信装置の制御方法。
【請求項１３】
接続された撮像装置からの発光指示を双方向通信が可能な通信手段を介して発光装置へ送信する通信装置の制御方法であって、
前記発光装置が発光可能な状態か否かを判別する判別ステップと、
前記発光装置と前記撮像装置とを制御する制御ステップと、を有し、
前記制御ステップは、前記判別ステップで前記発光装置が発光可能な状態であると判別された場合、前記発光装置から前記通信手段へ情報を送信させないようにすることを特徴とする通信装置の制御方法。
【請求項１４】
撮像装置、通信装置及び被写体に対して発光する発光装置を備えたカメラシステムにおける前記通信装置の制御方法をコンピュータに実行させるためのプログラムであって、
前記通信装置の制御方法は、
前記撮像装置から撮像準備が開始されたことを通知されると、前記発光装置と通信中であるか否かを判別する通信判別ステップと、
前記通信判別ステップにより、通信中ではないと判別されたとき、前記発光装置の充電が完了しているか否かを判別する充完判別ステップと、
前記充完判別ステップにより、前記発光装置の充電が完了していると判別されたとき、前記発光装置に対して通信を行わないように指示する通信不可通知を行うとともに、前記撮像装置に対して、撮像が実行可能であることを示す撮像許可通知を行う通知ステップと
を備えたことを特徴とするプログラム。
【請求項１５】
接続された撮像装置からの発光指示を双方向通信が可能な通信手段を介して発光装置へ送信する通信装置の制御方法をコンピュータに実行させるためのプログラムであって、
前記通信装置の制御方法は、
前記発光装置が発光可能な状態か否かを判別する判別ステップと、
前記発光装置と前記撮像装置とを制御する制御ステップと、を有し、
前記制御ステップは、前記判別ステップで前記発光装置が発光可能な状態であると判別された場合、前記発光装置から前記通信手段へ情報を送信させないようにすることを特徴とするプログラム。